(57)【要約】【課題】種々の表示態様で計測結果を表示する生体情報測定装置を提供することを目的とする。【解決手段】複数項目の生体情報の表示態様を決定するために用いる表示態様データを入力するための入力部１６と、前記表示態様データを記憶するための記憶部と、複数項目に関する生体情報を測定するための測定部６と、前記測定部６で測定された生体情報の表示態様を決定するための表示部１８と、  前記記憶部に記憶した表示態様データに従って前記測定された生体情報を表示部１８に表示させる制御部１０と、を備える生体情報測定装置２。【選択図】図１
2007244760.tif 000002
【特許請求の範囲】
【請求項１】
複数項目の生体情報の表示態様を決定するために用いる表示態様データを記憶するための記憶部と、
複数項目に関する生体情報を測定するための測定部と、
前記測定部で測定された生体情報の表示態様を決定するための表示部と、
入力されたデータに基づいて複数項目の生体情報の表示順序を示すデータを含む表示態様データを生成し、前記表示態様データに従って前記表示部の表示態様を制御する制御部と、
を備える生体情報測定装置。
【請求項２】
複数項目の生体情報の表示態様を決定するために用いる表示態様データを入力するための入力部と、
前記表示態様データを記憶するための記憶部と、
複数項目に関する生体情報を測定するための測定部と、
前記測定部で測定された生体情報の表示態様を決定するための表示部と、
前記記憶部に記憶した表示態様データに従って前記測定された生体情報を表示部に表示させる制御部と、
を備える生体情報測定装置。
【請求項３】
前記入力部は前記表示部に表示された生体情報の項目を切替えるための切替ボタンと表示された生体情報の項目の表示順序を決定するための決定ボタンとを有することを特徴とする請求項２に記載の生体情報測定装置。
【請求項４】
前記入力部は前記表示部に表示すべき生体情報に関する複数の項目ボタンを有することを特徴とする請求項２に記載の生体情報測定装置。
【請求項５】
複数項目の生体情報の表示態様を決定するために用いる表示態様データを記憶するための記憶部と、
複数項目に関する生体情報を測定するための測定部と、
前記測定された生体情報の表示態様を決定する表示部と、
前記表示部に表示されている生体情報の項目の表示切替えを指示するための入力部と、
前記入力部による指示に応じて前記表示部に表示されている生体情報の表示に関する表示関連データを生成し、該表示関連データに基づいた表示態様データを前記記憶部に記憶させ、前記記憶させた表示態様データに従って前記表示部の表示態様を制御する制御部と、
を備える生体情報測定装置。
【請求項６】
前記表示関連データは、前記生体情報が前記表示部に表示されていた時間を示すデータであることを特徴とする請求項５に記載の生体情報測定装置。
【請求項７】
前記表示関連データは、前記生体情報の項目毎に表示切替えが指示された回数を示すデータであることを特徴とする請求項５に記載の生体情報測定装置。
【請求項８】
生体に関する属性データを入力するための入力部と、
複数項目の生体情報の表示態様を決定するために用いる表示態様データを予め複数記憶した記憶部と、
複数項目に関する生体情報を測定するための測定部と、
前記測定部で測定された生体情報の表示態様を決定する表示部と、
前記属性データに基づき複数の表示態様データから一つの表示態様データを決定し、該
決定された表示態様データに従って前記測定された生体情報を表示部に表示させる制御部と、
を備える生体情報測定装置。
【請求項９】
前記生体に関する属性データは、身長、年齢または性別に関するデータであることを特徴とする請求項８に記載の生体情報測定装置。
【請求項１０】
前記表示態様データは、身長、年齢または性別に対応づけられた複数項目の生体情報の表示順序を示すデータであることを特徴とする請求項９に記載の生体情報測定装置。
【請求項１１】
複数項目の目標値を記憶した記憶部と、
複数項目に関する生体情報を測定するための測定部と、
前記測定部で測定された生体情報の表示態様を決定する表示部と、
前記測定された生体情報と前記目標値を項目毎に比較した結果に従って前記測定された生体情報の表示態様を決定するために用いる表示態様データを生成し、該表示態様データに従って生体情報を表示部に表示させる制御部と、
を備える生体情報測定装置。
【請求項１２】
前記表示態様データは、前記複数項目の生体情報の表示順序、前記複数項目の生体情報の表示態様を決定する文字の大きさまたは色に関するデータであることを特徴とする請求項２〜１１に記載の生体情報測定装置。
【発明の詳細な説明】
【技術分野】
【０００１】
本発明は、生体情報測定装置に関する。
【背景技術】
【０００２】
従来、生体各部位を順次切替えて測定し、利用者が選択した各部位毎の測定結果を表示する生体測定装置が知られている（特許文献１参照）。
【０００３】
また、過去の測定データと最新の測定データを比較し、比較結果に応じて表示色を変更する体組成計が知られている（特許文献２参照）。
【特許文献１】特開２００４−２４３１４８号公報
【特許文献２】特開２００５−２６１４８８号公報
【発明の開示】
【発明が解決しようとする課題】
【０００４】
しかし、特許文献１に開示された生体測定装置では、測定結果を表示するために毎回利用者が表示したい項目を手動で選択する必要があった。また、特許文献２に開示された体組成計では、測定結果を表示する際に過去の測定データとの比較により変化量を知ることはできるが、表示態様が固定であった。
【０００５】
本発明は、種々の表示態様で計測結果を表示する生体情報測定装置を提供することを目的とする。
【課題を解決するための手段】
【０００６】
本発明は上記目的を達成するため、複数項目の生体情報の表示態様を決定するために用いる表示態様データを記憶するための記憶部と、複数項目に関する生体情報を測定するための測定部と、測定部で測定された生体情報の表示態様を決定するための表示部と、入力されたデータに基づいて複数項目の生体情報の表示順序を示すデータを含む表示態様データを生成し、表示態様データに従って表示部の表示態様を制御する制御部と、を備えることを特徴とする。
【０００７】
また、本発明は、複数項目の生体情報の表示態様を決定するために用いる表示態様データを入力するための入力部と、表示態様データを記憶するための記憶部と、複数項目に関する生体情報を測定するための測定部と、測定部で測定された生体情報の表示態様を決定するための表示部と、記憶部に記憶した表示態様データに従って測定された生体情報を表示部に表示させる制御部と、を備えることを特徴とする。
【０００８】
また、本発明は、複数項目の生体情報の表示態様を決定するために用いる表示態様データを記憶するための記憶部と、複数項目に関する生体情報を測定するための測定部と、測定された生体情報の表示態様を決定する表示部と、表示部に表示されている生体情報の項目の表示切替えを指示するための入力部と、入力部による指示に応じて表示部に表示されている生体情報の表示に関する表示関連データを生成し、該表示関連データに基づいた表示態様データを記憶部に記憶させ、記憶させた表示態様データに従って表示部の表示態様を制御する制御部と、を備えることを特徴とする。
【０００９】
また、本発明は、生体に関する属性データを入力するための入力部と、複数項目の生体情報の表示態様を決定するために用いる表示態様データを予め複数記憶した記憶部と、複数項目に関する生体情報を測定するための測定部と、測定部で測定された生体情報の表示
態様を決定する表示部と、属性データに基づき複数の表示態様データから一つの表示態様データを決定し、該決定された表示態様データに従って測定された生体情報を表示部に表示させる制御部と、を備えることを特徴とする。
【００１０】
また、本発明は、複数項目の目標値を記憶した記憶部と、複数項目に関する生体情報を測定するための測定部と、測定部で測定された生体情報の表示態様を決定する表示部と、測定された生体情報と目標値を項目毎に比較した結果に従って測定された生体情報の表示態様を決定するために用いる表示態様データを生成し、該表示態様データに従って生体情報を表示部に表示させる制御部と、を備えることを特徴とする。
【発明の効果】
【００１１】
本発明によれば、種々の表示態様で計測結果を表示できる。
【発明を実施するための最良の形態】
【００１２】
＜＜実施形態＞＞
以下に図面を参照して、本発明の実施形態を例示的に詳しく説明する。ただし、本実施形態に記載されている構成部品の寸法、材質、形状、その相対配置などは、特に特定的な記載がない限りは、発明の技術的範囲をそれらのみに限定する趣旨のものではない。
【００１３】
図１及び図２を参照して、本実施形態に係る生体情報測定装置について説明する。図１は本実施形態の生体情報測定装置の回路構成を示すブロック図である。図２は本実施形態の生体情報測定装置の概観図である。
【００１４】
図１に示すように、本実施形態に係る生体情報測定装置２は、操作部４と測定部６とから構成される。操作部４と測定部６は、ケーブル８で接続されている。
【００１５】
図２に示すように、生体情報測定装置２において、操作部４は、制御部１０、メモリ１２、電源１４が筐体内に納められ、入力部１６と表示部１８が外部から視認可能に構成されている。また、測定部６は、センサ２０及び演算部２２が筐体内に納められるように構成されている。尚、センサ２０については、生体情報測定装置２の種類によってセンサ２０に接続された電極等が生体と直接接触するように構成してもよい。また、生体情報測定装置２の種類によって操作部４と測定部６を同じ筐体内に納めるように構成してもよい。
【００１６】
＜１．操作部＞
操作部４は、各種情報を入力するための入力部１６と、入力部１６で入力された情報や測定部６で測定された結果等を表示する表示部１８と、表示部１８で表示するための情報等を記憶するメモリ１２と、入力部１６、表示部１８及びメモリ１２等の動作を制御する制御部１０、及び電源１４から構成される。入力部１６としては、物理的に押し下げるボタンやタッチパネル等を使用することができる。タッチパネルを使用する場合、入力部１６を表示部１８と一体に設けても良い。
【００１７】
＜１．１メモリ＞
メモリ１２（本発明の「記憶部」に相当）は、複数項目の生体情報の表示態様を決定するために用いる表示態様データ等を記憶する。表示態様データは、複数項目の生体情報の表示順序、複数項目の生体情報の表示態様を決定する文字の大きさまたは色に関するデータである。色に関するデータは文字やグラフの色や文字の背景色に関するデータである。複数項目の生体情報ついては後述する。
【００１８】
＜１．２表示部＞
表示部１８は、測定部６で測定された生体情報等を表示する。測定された生体情報の他
に、（１）入力部１６で入力又は選択された入力情報等を表示する。また、「測定部６で測定された生体情報」とは、測定された生体情報を加工したデータ（比較結果、時系列グラフ、ポイントメモリ（ある時点でのデータとの比較結果）、判定結果（例えば、肥満度合い、目標値の達成レベル等））等である。尚、表示部１８は、カラー液晶ディスプレイ等の表示装置を用いる。
【００１９】
＜１．３制御部＞
制御部１０は中央処理装置（ＣＰＵ）である。制御部１０は、入力されたデータに基づいて複数項目の生体情報の表示順序を示すデータを含む表示態様データを生成し、表示態様データに従って表示部１８の表示態様を制御する。制御部１０に入力されるデータとしては、入力部１６または演算部２２から入力されるデータがある。また、制御部１０は表示態様データをメモリ１２に記憶させ、記憶した表示態様データに従って表示部１８の表示態様を制御するようにしてもよい。
【００２０】
＜入力部１６から入力されるデータ＞
入力部１６から入力されるデータは、利用者が入力する生体情報の表示順序を決定するために使用されるデータや、表示する項目の表示切替の指示を示すデータ等である。制御部１０は、入力部１６から入力されるデータに基づいて表示態様データを生成する。
【００２１】
＜演算部２２から入力されるデータ＞
また、演算部２２（ＣＰＵ）から入力されるデータは、測定部６により測定された生体情報の測定データである。制御部１０は、測定部６により測定された生体情報の測定データとメモリ１２に予め記憶されている比較対象データ（例えば、利用者と同じ個人属性（年齢、性別）の統計的平均値などの目標値、目標値または過去の測定データ等）を比較して表示態様データを生成する。
【００２２】
＜２．測定部＞
測定部６は、複数項目（種類）に関する生体情報を測定する。測定部６は、生体に関するデータを検出するセンサ２０とセンサ２０で得たデータから複数項目の生体情報を得るために各種の演算を実行する演算部２２とから構成される。演算結果（測定データ）はケーブル８を介して操作部４側の制御部１０へ渡される。尚、表示部１８には、センサ２０を用いて直接測定される生体情報、測定データ、測定データを加工したデータ等が表示される。
【００２３】
＜変形例＞
図３は本実施形態の生体情報測定装置２の回路構成を示すブロック図である。図４は本実施形態の生体情報測定装置２の概観図である。上記実施形態では、ケーブル８で接続された例を説明したが、これに限らず、無線通信用のインターフェース２４を設けるように構成しても良い。通信方法としては、赤外線通信、ブルートゥースなどの通信技術を用いることができる。
【００２４】
＜＜実施例＞＞
以下、本発明の実施例について説明する。以下の実施例では、体組成計（生体情報測定装置）で測定される生体情報を例に説明する。また、上述の実施態様で説明した構成及び図５〜図１７を参照して各実施例を説明する。尚、実施態様の構成要素と同じ構成要素には同一の符合を付す。
【００２５】
＜実施例１＞
本実施例においては、利用者自身の嗜好に応じた表示態様で測定結果を表示部１８に表示させるために、複数項目の生体情報の表示態様を設定する処理手順について説明する。
【００２６】
図５は実施例１の生体情報測定装置２における操作部４の表示部１８及び入力部１６を示す図である。図６は実施例１の生体情報測定装置２における表示態様の設定手順を示すフローチャートである。
【００２７】
図５において、入力部１６は、複数項目の生体情報の表示態様を決定するために用いる表示態様データを入力するために使用される。入力部１６には、切替ボタン２６、決定ボタン２８、表示順序変更モードボタン３０が設けられている。
【００２８】
ここで、複数項目の生体情報が「体重値」、「体脂肪率」、「基礎代謝量」であるとして以下説明する。表示態様データとは、「Ａ：体重値」、「Ｂ：体脂肪率」、「Ｃ：基礎代謝量」の表示順序を示すデータである。
【００２９】
メモリ１２は、初期設定として、「Ａ：体重値」、「Ｂ：体脂肪率」、「Ｃ：基礎代謝量」の表示順序で表示されるように表示態様データを記憶している。例えば、メモリ１２に、初期設定データがテーブルとして「１，Ａ，Ｂ，Ｃ」と記憶されている。「１」は表示項目数を示すデータであり、制御部１０は、表示部１８に測定結果を一項目ずつ表示させる。この初期設定データは、切替ボタン２６が押される毎にＡ，Ｂ，Ｃの順に一つずつ表示することを示すデータである。尚、「基礎代謝量」が表示されているときに利用者が切替ボタン２６を押すと、制御部１０は、「体重値」を表示部１８に表示させる。また、表示部１８は、「Ａ：体重値」、「Ｂ：体脂肪率」、「Ｃ：基礎代謝量」を同時に表示するようにしてもよい。このとき、制御部１０は、文字または背景の色や大きさ等を変更して、選択されている項目を強調するように表示を制御してもよい。２つの項目を同時に表示する場合、初期設定データは、例えば、「２，Ａ，Ｂ，Ｃ」となる。
【００３０】
以下、初期設定データが「１，Ａ，Ｂ，Ｃ」であるとして、表示順序の設定方法を説明する。
【００３１】
利用者が生体情報測定装置の電源１４をオンにし、表示順序変更モードボタン３０を押して「表示順序変更モード」にセットする（Ｓ１）と、制御部１０は、メモリ１２から読み出した初期設定データに従って表示部１８に「体重値」を表示させる（Ｓ２）。
【００３２】
利用者が切替ボタン２６を１回押すと（Ｓ３）、制御部１０は、表示部１８に「体脂肪率」を表示させる（Ｓ４）。ここで、利用者が決定ボタン２８を押すと（Ｓ５）、制御部１０は、「Ｂ：体脂肪率」を優先度１として、メモリ１２内のテーブルに書き込む（Ｓ６）。
【００３３】
利用者が切替ボタン２６を２回押すと（Ｓ３）、制御部１０は、表示部１８に「体重値」を表示させる（Ｓ４）。ここで、利用者が決定ボタン２８を押すと（Ｓ５）、制御部１０は、「Ａ：体重値」を優先度２として、メモリ１２内のテーブルに書き込む（Ｓ６）。
【００３４】
利用者が切替ボタン２６を２回押すと（Ｓ３）、制御部１０は、表示部１８に「基礎代謝量」を表示させる（Ｓ４）。ここで、利用者が決定ボタン２８を押すと（Ｓ５）、制御部１０は、「Ｃ：基礎代謝量」を優先度３として、メモリ１２内のテーブルに書き込む（Ｓ６）。
【００３５】
利用者が表示順序変更モードボタン３０を押すと（Ｓ７）、制御部１０は、表示順序変更モードを終了し、確定した表示順序を表示部１８に表示させる（Ｓ８）。
【００３６】
メモリ１２は、表示態様データとして、「１，Ｂ，Ａ，Ｃ」を記憶する。表示態様デー
タ「１，Ｂ，Ａ，Ｃ」は、一項目毎に「体脂肪率」、「体重値」、「基礎代謝量」の順に表示することを示す。
【００３７】
測定部６で複数項目の生体情報が測定されると、制御部１０は、測定部６で測定された生体情報を受取り、メモリ１２に記憶した表示態様データを読み出し、表示態様データに従って「体脂肪率」、「体重値」、「基礎代謝量」の順に測定された生体情報を表示部１８に表示させる。
【００３８】
本実施例によれば、利用者の嗜好に応じた表示態様で測定結果を表示部１８に表示させることができる。
【００３９】
切替ボタン２６と決定ボタン２８を設けることにより、少ないボタン数で操作部４を構成できる。
【００４０】
＜変形例＞
次に、図７及び図８を参照して利用者が表示態様を設定する例を説明する。図７は生体情報測定装置２における操作部４の表示部１８及び入力部１６を示す図である。図８は生体情報測定装置２における表示態様の設定手順を示すフローチャートである。
【００４１】
図７において、入力部１６には、項目Ａボタン３２、項目Ｂボタン３４、項目Ｃボタン３６、リセットボタン３８、表示順序変更モードボタン３０が設けられている。項目Ａボタン３２は、「Ａ：体重値」を選択するためのボタンである。また、項目Ｂボタン３４は「Ｂ：体脂肪率」を選択するためのボタンであり、項目Ｃボタン３６は「Ｃ：基礎代謝量」を選択するためのボタンである。
【００４２】
初期設定データを利用しない例として、表示順序の設定方法を以下説明する。
【００４３】
利用者は、生体情報測定装置の電源１４をオンにし、表示順序変更モードボタン３０を押して「表示順序変更モード」をセットする（Ｓ１１）。このとき、制御部１０は「表示したい順にボタンを押してください。」と表示部１８に表示させる。
【００４４】
利用者が項目Ｂボタン３４を押すと（Ｓ１２）、制御部１０は、表示部１８に「１．体脂肪率」を表示させる（Ｓ１３）。そして、制御部１０は、「Ｂ：体脂肪率」を優先度１として、メモリ１２内のテーブルに書き込む。
【００４５】
利用者が項目Ａボタン３２を押すと（Ｓ１２）、制御部１０は、表示部１８に「２．体重」を表示させる（Ｓ１３）。そして、制御部１０は、「Ａ：体重値」を優先度２として、メモリ１２内のテーブルに書き込む。
【００４６】
利用者が項目Ｃボタン３６を押すと（Ｓ１２）、制御部１０は、表示部１８に「３．基礎代謝量」を表示させる（Ｓ１３）。そして、制御部１０は、「Ｃ：基礎代謝量」を優先度３として、メモリ１２内のテーブルに書き込む。尚、リセットボタン３８が押されると、表示部１８の表示が初期状態（表示なし）に戻り、メモリ１２内のデータが消去される。
【００４７】
利用者が表示順序変更モードボタン３０を押すと（Ｓ１４）、制御部１０は、表示順序変更モードを終了し、確定した表示順序を表示部１８に表示させる（Ｓ１５）。
【００４８】
メモリ１２は、表示態様データとして、「１，Ｂ，Ａ，Ｃ」を記憶する。表示態様データ「１，Ｂ，Ａ，Ｃ」は、一項目毎に「体脂肪率」、「体重値」、「基礎代謝量」の順に
表示することを示す。
【００４９】
測定部６で複数項目に関する生体情報が測定されると、制御部１０は、測定部６で測定された生体情報を受取り、メモリ１２に記憶した表示態様データを読み出し、表示態様データに従って「体脂肪率」、「体重値」、「基礎代謝量」の順に測定された生体情報を表示部１８に表示させる。
【００５０】
これにより、利用者の嗜好に応じた表示態様で測定結果を表示部１８に表示させることができる。
【００５１】
また、入力部１６が表示部１８に表示すべき生体情報に関する複数の項目ボタンを有することにより、利用者は表示態様を容易に選択可能になる。
【００５２】
＜実施例２＞
本実施例においては、利用者の使用特性（表示時間）に基づいた表示態様で測定結果を表示部１８に表示させるために、複数項目の生体情報の表示態様を決定する処理手順について説明する。図９は実施例２の生体情報測定装置２における操作部４の表示部１８及び入力部１６を示す図である。図１０は実施例２の生体情報測定装置２における表示態様の決定手順を示すフローチャートである。図１１は実施例２の操作部４の表示部１８における項目の表示時間を示す図である。
【００５３】
図９において、入力部１６には、表示部１８に表示されている生体情報の項目の表示切替えを指示するための切替ボタン２６が設けられている。表示部１８は、測定部６で測定された複数項目の生体情報の表示態様を決定する。
【００５４】
ここで、複数項目の生体情報は、「体重値」、「体脂肪率」、「基礎代謝量」である。表示態様データは、「Ａ：体重値」、「Ｂ：体脂肪率」、「Ｃ：基礎代謝量」の表示順序を示すデータである。
【００５５】
メモリ１２は、複数項目の生体情報の表示態様を決定するために用いる表示態様データを予め記憶する。初期設定として、「Ａ：体重値」、「Ｂ：体脂肪率」、「Ｃ：基礎代謝量」の表示順序で表示されるように表示態様データを記憶している。例えば、メモリ１２に、初期設定データがテーブルとして「１，Ａ，Ｂ，Ｃ」と記憶されている。この初期設定データは、切替ボタン２６が押される毎に「体重値」、「体脂肪率」、「基礎代謝量」の順に一つずつ表示することを示すデータである。尚、「基礎代謝量」が表示されているときに利用者が切替ボタン２６を押すと、制御部１０は、「体重値」を表示部１８に表示させる。
【００５６】
利用者が生体情報測定装置の電源１４をオンにした後に、測定部６で生体情報（体重値、体脂肪率、基礎代謝量）が測定される（Ｓ２１）と、制御部１０は、メモリ１２から読み出した初期設定データに従って表示部１８に測定部６で測定された「体重値」を表示させる（Ｓ２２）。制御部１０は「体重値」を表示部１８に表示させると共に、表示時間（本発明の「表示関連データ」に相当）のカウントを開始する（Ｓ２３）。
【００５７】
利用者が切替ボタン２６を１回押すと（Ｓ２４）、制御部１０は、表示部１８に「体脂肪率」を表示させる。また、制御部１０は、表示時間のカウントを終了し、メモリ１２に「体重値」を表示していた時間を記憶する（Ｓ２５）。ここで、「体重値」を表示していた時間を例えば、３０秒とする。更に、制御部１０は「体脂肪率」を表示部１８に表示させている表示時間のカウントを開始する（Ｓ２３）。
【００５８】
利用者が切替ボタン２６を１回押すと（Ｓ２４）、制御部１０は、表示部１８に「基礎代謝量」を表示させる。また、制御部１０は、表示時間のカウントを終了し、メモリ１２に「体脂肪率」を表示していた時間を記憶する（Ｓ２５）。ここで、「体脂肪率」を表示していた時間を例えば、１分とする。更に、制御部１０は「基礎代謝量」を表示部１８に表示させている表示時間のカウントを開始する（Ｓ２３）。
【００５９】
利用者が切替ボタン２６を１回押すと（Ｓ２４）、制御部１０は、表示部１８に「体重値」を表示させる。また、表示時間のカウントを終了し、メモリ１２に「基礎代謝量」を表示していた時間を記憶する（Ｓ２５）。ここで、「基礎代謝量」を表示していた時間を例えば、４５秒とする。
【００６０】
全ての項目が表示された場合、制御部１０は、各項目の表示時間から表示態様データを生成し、メモリ１２にテーブルとして記憶する（Ｓ２７）。ここで、制御部１０は、メモリ１２に記憶した表示時間（体重値、３０秒；体脂肪率、１分；基礎代謝量、４５秒）から表示時間の長い順に表示する項目の優先度を決定する。つまり、制御部１０は、表示順序を、「体脂肪率」、「基礎代謝量」、「体重値」と決定する。例えば、制御部１０は、表示態様データとして、「１，Ｂ，Ｃ，Ａ」を生成し、メモリ１２に記憶させる。次回の測定から、制御部１０は記憶させた表示態様データに従って表示部１８の表示態様を制御する。
【００６１】
本実施例によれは、利用者の使用特性（表示時間）に基づいた表示態様で測定結果を表示部１８に表示させることができる。
【００６２】
本実施例では、すべての項目を表示したときに、表示態様データを生成するようにしたが、これに限らず、同じ項目を複数回表示した場合であっても、適用可能である。この場合、図１１に示すように、制御部１０がメモリ１２に表示部１８における項目の表示時間を記憶させておき、例えば、制御部１０が、最初の表示開始から所定時間経過後に項目毎に表示時間を加算して、加算結果に基づいて表示態様データを生成するようにしてもよい。この方法によれば、利用者の使用特性を更に正確に表示態様に反映できる。
【００６３】
また、本実施例では、表示と同時に表示時間のカウントを開始する例を説明したが、表示を開始してから所定時間経過後にカウントを開始しても良い。これにより、項目の数が多い場合に切替ボタン２６を複数回続けて押している間の各項目の表示時間をカウントしないため、利用者の使用特性を適正に表示態様に反映できる。
【００６４】
＜変形例＞
次に、利用者の使用特性（表示回数）に基づいた表示態様で測定結果を表示部１８に表示させるために、複数項目の生体情報の表示態様を決定する処理手順について説明する。図１２及び図１３を参照して表示態様を決定する例を説明する。図１２は実施例２の変形例の生体情報測定装置２における操作部４の表示部１８及び入力部１６を示す図である。図１３は実施例２の変形例の生体情報測定装置２における表示態様の決定手順を示すフローチャートある。
【００６５】
図１２において、入力部１６には、表示部１８に表示されている生体情報の項目の表示切替えを指示するための項目Ａボタン３２、項目Ｂボタン３４、項目Ｃボタン３６が設けられている。項目Ａボタン３２は、「Ａ：体重値」を選択するためのボタンである。また、項目Ｂボタン３４は「Ｂ：体脂肪率」を選択するためのボタンであり、項目Ｃボタン３６は「Ｃ：基礎代謝量」を選択するためのボタンである。表示部１８は、測定部６で測定された複数項目の生体情報の表示態様を決定する。
【００６６】
メモリ１２は、複数項目の生体情報の表示態様を決定するために用いる表示態様データを予め記憶する。初期設定として、「Ａ：体重値」、「Ｂ：体脂肪率」、「Ｃ：基礎代謝量」の表示順序で表示されるように表示態様データを記憶している。例えば、メモリ１２に、初期設定データがテーブルとして「１，Ａ，Ｂ，Ｃ」と記憶されている。測定部６による測定結果が制御部１０へ渡されると、制御部１０は所定時間毎に自動的に表示する項目が切替わるように表示態様を制御する。尚、「基礎代謝量」が表示された後に所定時間経過すると、制御部１０は、「体重値」を表示部１８に表示させる。
【００６７】
利用者が生体情報測定装置の電源１４をオンにした後に、測定部６で生体情報（体重値、体脂肪率、基礎代謝量）が測定される（Ｓ３１）と、制御部１０は、メモリ１２から読み出した初期設定データに従って表示部１８に測定部６で測定された「体重値」、「体脂肪率」、「基礎代謝量」を所定時間毎に切替えて表示させる（Ｓ３２）。
【００６８】
（１）利用者が項目Ｂボタン３４を押すと（Ｓ３３）、制御部１０は、項目Ｂボタン３４の表示回数に「１」を加算しメモリ１２内のテーブルに書き込み、表示部１８に「体脂肪率」を表示させる（Ｓ３４、Ｓ３５）。尚、各項目の表示回数の初期値は「０」である。
【００６９】
（２）次に、利用者が項目Ａボタン３２を押すと（Ｓ３３）、制御部１０は、項目Ａボタン３２の表示回数に「１」を加算しメモリ１２内のテーブルに書き込み、表示部１８に「体重値」を表示させる（Ｓ３４、Ｓ３５）。
【００７０】
（３）次に、利用者が項目Ｂボタン３４を押すと（Ｓ３３）、制御部１０は、項目Ｂボタン３４の表示回数に「１」を加算しメモリ１２内のテーブルに書き込み、表示部１８に「体脂肪率」を表示させる（Ｓ３４、Ｓ３５）。
【００７１】
（４）次に、利用者が項目Ｃボタン３６を押すと（Ｓ３３）、制御部１０は、項目Ｃボタン３６の表示回数に「１」を加算しメモリ１２内のテーブルに書き込み、表示部１８に「基礎代謝量」を表示させる（Ｓ３４、Ｓ３５）。このとき、利用者が更に項目Ｃボタン３６を４回続けて押したとき、制御部１０は、項目Ｃボタン３６の表示回数に「４」を加算しメモリ１２内のテーブルに書き込み、表示部１８に「基礎代謝量」を表示させる（Ｓ３４、Ｓ３５）。
【００７２】
最初の表示から所定時間経過した後に、制御部１０は、各項目の表示時間から表示態様データを生成し、メモリ１２にテーブルとして記憶する（Ｓ３６、Ｓ３７）。ここで、制御部１０は、メモリ１２に記憶した表示回数（体重値、１回；体脂肪率、２回；基礎代謝量、５回）から表示回数の多い順に表示する項目の優先度を決定する。つまり、制御部１０は、表示順序を、「基礎代謝量」、「体脂肪率」、「体重値」と決定する。例えば、制御部１０は、表示態様データとして、「１，Ｃ，Ｂ，Ａ」を生成し、メモリ１２に記憶させる。次回の測定から、制御部１０は記憶させた表示態様データに従って、「基礎代謝量」、「体脂肪率」、「体重値」の順に表示部１８の表示態様を制御する。
【００７３】
これにより、利用者の使用特性（表示回数）に基づいた表示態様で測定結果を表示部１８に表示させることができる。
【００７４】
＜実施例３＞
本実施例においては、利用者の個人属性（年齢，性別，身長など）に基づいた表示態様で測定結果を表示部１８に表示させるために、複数項目の生体情報の表示態様を決定する
処理手順について説明する。図１４は実施例３の生体情報測定装置２における操作部４の表示部１８及び入力部１６を示す図である。図１５は実施例３の生体情報測定装置２における表示態様の決定手順を示すフローチャートである。
【００７５】
図１４において、入力部１６には、表示部１８に表示されている生体情報の項目の表示切替えを指示するための切替ボタン２６と利用者の身長，年齢，性別などの生体に関する属性データを入力するためのテンキー４０及び設定ボタン４２が設けられている。切替ボタン２６は測定後に表示する項目を切替えるとき、または属性データを入力するときに使用される。表示部１８は、測定部６で測定された複数項目の生体情報またはテンキー４０で入力された属性データなどを表示する。
【００７６】
本実施例では、メモリ１２は複数項目の生体情報の表示態様を決定するために用いる表示態様データを予めテーブルとして複数記憶している。
【００７７】
テーブルの例として、メモリ１２は、以下のような年代及び性別に対応づけたテーブル１に３つの表示態様データを記憶しているとする。
【００７８】
＜テーブル１＞
１．２０，１，１，５，４
２．３０，２，４，２，１
３．４０，２，６，３，１
＜テーブル２＞
１．女性
２．男性
＜テーブル３＞
１．体重値
２．体脂肪率
３．基礎代謝量
４．骨格筋率
５．皮下脂肪
６．体年齢
【００７９】
テーブル１は複数項目の生体情報の表示態様を決定するために用いる表示態様データのテーブルである。テーブル２は性別を示すテーブルであり、テーブル３は複数項目の生体情報を示すテーブルである。ここで、生体情報の他の項目としては、内臓脂肪レベル、ＢＭＩ等がある。また、体脂肪率については、全身、体幹、右腕、左腕、右脚、左脚を測定・表示する対象としてもよい。骨格筋率についても、全身、体幹、右腕、左腕、右脚、左脚を測定・表示する対象としてもよい。
【００８０】
テーブル１は、左から表示態様データ番号、年代、性別、表示順序を示すテーブルである。テーブル１の１行目の表示態様データは、２０代の女性（１）について，体重値（１）、皮下脂肪率（５）、骨格筋率（４）の順に表示することを示すデータである。
【００８１】
図１５を参照して以下説明する。利用者は入力部１６のテンキー４０を操作して個人の属性データを入力する（Ｓ４１）。利用者が入力部１６の設定ボタン４２を押すと、制御部１０は、年齢、性別の順に表示部１８を介して利用者に属性データの入力を促す。例えば、表示部１８に「年齢」の入力を促す表示がされたとき、利用者がテンキー４０を用いて「２５」と入力する。次に、利用者が切替ボタン２６を押すと、制御部１０は年齢データ「２５」をメモリ１２に記憶し、「性別」の入力を促す表示を表示部１８にさせる。利用者がテンキー４０を用いて、女性を示す性別データ「１」を入力する。制御部１０は、
入力された属性データ（２５，１）に基づき、テーブル１の複数の表示態様データ（１行目〜３行目のデータ）から表示態様データ（１行目）を決定する（Ｓ４２）。そして、制御部１０は、入力された属性データに基づき、体重値（１）、皮下脂肪率（５）、骨格筋率（４）の順に測定結果を表示部１８に表示させる。尚、属性データを測定する度に入力する必要はなく、制御部１０は、測定結果に適用するデータとして、決定された表示態様データをメモリ１２に記憶させてもよい。
【００８２】
次に、利用者が生体情報測定装置２による測定を実行する。測定部６はセンサ２０を用いて複数項目に関する生体情報を検出して、演算部２２により各項目に関する測定データを生成する（Ｓ４３）。演算部２２は測定データを制御部１０に渡す。制御部１０は、受信した測定データを決定された表示態様データに従って並べ替えて表示部１８に「体重値」を表示させる（Ｓ４４、Ｓ４５）。制御部１０は、切替ボタン２６が押されたことを検出する（Ｓ４６）と表示部１８に「皮下脂肪率」を表示させる（Ｓ４７、Ｓ４５）。続いて、制御部１０は、切替ボタン２６が押されたことを検出する（Ｓ４６）と表示部１８に「骨格筋率」を表示させる（Ｓ４７、Ｓ４５）。制御部１０は表示の開始から所定時間が経過すると電源１４をオフにする（Ｓ４８）。尚、測定結果の表示態様は、一つずつ測定結果を表示する方法に限らず、２以上の測定結果をリストとして表示してもよい。
【００８３】
本実施例によれば、利用者の個人属性（年齢，性別，身長など）に基づいた表示態様で測定結果を表示部１８に表示させることができる。
【００８４】
＜実施例４＞
本実施例においては、利用者の生体情報の測定結果比較に基づいた表示態様で測定結果を表示部１８に表示させるために、複数項目の生体情報の表示態様を決定する処理手順について説明する。図１６は実施例４の生体情報測定装置２における操作部４の表示部１８及び入力部１６を示す図である。図１７は実施例４の生体情報測定装置２における表示態様の決定手順を示すフローチャートである。
【００８５】
図１６において、入力部１６には、表示部１８に表示されている生体情報の項目の表示切替えを指示するための切替ボタン２６と利用者の身長，年齢，性別などの生体に関する属性データを入力するためのテンキー４０及び設定ボタン４２が設けられている。切替ボタン２６は測定後に表示する項目を切替えるとき、または属性データを入力するときに使用される。表示部１８は、測定部６で測定された複数項目の生体情報またはテンキー４０で入力された属性データなどを表示する。
【００８６】
本実施例では、メモリ１２は複数項目の目標値を示すテーブル１と性別を示すテーブルテーブル２を予め記憶している。
【００８７】
テーブル例として、メモリ１２は、以下のような身長及び性別に対応づけたテーブル１に３つの目標値（比較対象データ）を記憶している。
【００８８】
＜テーブル１＞
１．１５０，１，４５，２３，１０５０
２．１５５，１，４８，２３，１１２０
３．１５５，２，５１，１８，１２２５
＜テーブル２＞
１．女性
２．男性
＜テーブル３＞
１．体重値
２．体脂肪率
３．基礎代謝量
＜テーブル４＞
１．赤
２．青
【００８９】
テーブル１は、左から表示態様データ番号、身長、性別、複数項目の目標値（体重値，体脂肪率，基礎代謝量）を示すテーブルである。テーブル１の１行目のデータは、１５０ｃｍの女性（１）について，体重値（４５ｋｇ）、皮下脂肪率（２３％）、基礎代謝量（１０５０ｋｃａｌ）が目標値として設定されていることを示すデータである。テーブル３及びテーブル４は、表示態様データを生成する際に使用される。
【００９０】
図１７を参照して以下説明する。利用者は入力部１６のテンキー４０を操作して個人の属性データを入力する（Ｓ５１）。利用者が入力部１６の設定ボタン４２を押すと、制御部１０は、身長、性別の順に表示部１８を介して利用者に属性データの入力を促す。例えば、表示部１８に「身長」の入力を促す表示がされたとき、利用者がテンキー４０を用いて「１５１」と入力する。次に、利用者が切替ボタン２６を押すと、制御部１０は身長データ「１５１」をメモリ１２に記憶し、表示部１８に「性別」の入力を促す表示を表示部１８にさせる。利用者がテンキー４０を用いて、女性を示す性別データ「１」を入力する。制御部１０は、入力された属性データ（１５１，１）に基づき、テーブル１の複数の比較対象データ（１行目〜３行目のデータ）から比較対象データ（１行目）を決定する（Ｓ５２）。ここで、複数項目の目標値は体重値４５ｋｇ，体脂肪率２３％，基礎代謝量１０５０ｋｃａｌとする。
【００９１】
次に、利用者が生体情報測定装置２による測定を実行する。測定部６はセンサ２０を用いて複数項目に関する生体情報を検出して、演算部２２により各項目に関する測定データを生成する（Ｓ５３、Ｓ５４）。演算部２２は測定データを制御部１０に渡す。例えば、測定データが体重値５５ｋｇ，体脂肪率２６％，基礎代謝量９８０ｋｃａｌである。
【００９２】
制御部１０は、測定値と目標値との差が目標値に対して何％かを演算する。制御部１０は、演算を各項目ごとに実行して比較結果Ｈを得る。制御部１０は、例えば、次の式１を使用して比較結果を求める。
【００９３】
Ｈ＝α＊｛（目標値−測定値）／目標値｝＊１００｝  （α＝１または−１）・・・（１）
【００９４】
＜比較結果Ｈ＞
体重値＝−｛（４５−５５）／４５｝＊１００｝≒２２．２（％）
体脂肪率＝−｛（２３−２６）／２３｝＊１００｝≒１３．０（％）
基礎代謝量＝｛（１０５０−９８０）／１０５０｝＊１００≒６．６（％）
【００９５】
制御部１０は体重と体脂肪率の係数αを「−１」に設定して計算する。制御部１０は基礎代謝量の係数αを「＋１」に設定して計算する。係数αは各項目毎に予め設定されている。また、メモリ１２は各項目毎の係数を記憶している。
【００９６】
制御部１０は、テーブル３及びテーブル４を用いて、比較結果が大きい順に表示するための表示態様データを生成する。例えば、制御部１０は表示態様データ「１，１，１，２，１，３，１」を生成し、メモリ１２に記憶させる。この表示態様データは、「表示項目数（１），体重値（１），赤（１），体脂肪率（２），赤（１），基礎代謝量（３），赤（１）」であることを示す。制御部１０は測定データを１つずつ表示部１８に体重値、体
脂肪率、基礎代謝量の順に制御部１０に表示させる。また、制御部１０は各測定結果が目標値に達していないため各項目を表示する際に、表示部１８の背景色を赤で表示するように制御する。
【００９７】
制御部１０は、受信した測定データを決定された表示態様データに従って並べ替えて表示部１８に「体重値」を表示させる（Ｓ５５）。制御部１０は、切替ボタン２６が押されたことを検出する（Ｓ５６）と表示部１８に「体脂肪率」を表示させる（Ｓ５７、Ｓ５５）。続いて、制御部１０は、切替ボタン２６が押されたことを検出する（Ｓ５６）と表示部１８に「基礎代謝量」を表示させる（Ｓ５７、Ｓ５５）。表示部１８は表示の開始から所定時間が経過すると電源１４をオフにする（Ｓ５８）。尚、測定結果の表示態様は、一つずつ測定結果を表示する方法に限らず、２以上の測定結果をリストとして表示してもよい。
【００９８】
本実施例によれば、利用者の生体情報の測定結果比較に基づいた表示態様で測定結果を表示部１８に表示させることができる。
【００９９】
＜変形例＞
目標値は、理想的な目標値に限らず、過去に測定された測定データを使用してもよい。また、目標値は生体に関する属性データの統計的平均値でもよい。また、個人の属性データを入力して表示態様を決定する例を説明したが、これに限らず、利用者が各項目について目標値を入力して表示態様を決定するようにしてもよい。
【０１００】
＜他の変形例＞
上述した実施例は体組成計で測定される複数項目生体情報を例に説明したが、本発明は歩数計や血圧計にも適用可能である。
【０１０１】
歩数計では、複数項目の生体情報として、歩数、所定の強度以上で歩行した歩数、所定の強度以上で歩行した時間、消費カロリー、脂肪燃焼量、歩行距離等を使用できる。
【０１０２】
血圧計では、複数項目の生体情報として、朝の最高血圧、朝の最低血圧、夜の最高血圧、夜の最低血圧等を使用できる。
【図面の簡単な説明】
【０１０３】
【図１】本実施形態の生体情報測定装置の回路構成を示すブロック図である。
【図２】本実施形態の生体情報測定装置の概観図である。
【図３】本実施形態の生体情報測定装置の回路構成を示すブロック図である。
【図４】本実施形態の生体情報測定装置の概観図である。
【図５】実施例１の生体情報測定装置における操作部の表示部及び入力部を示す図である。
【図６】実施例１の生体情報測定装置における表示態様の設定手順を示すフローチャートである。
【図７】実施例１の生体情報測定装置における操作部の表示部及び入力部を示す図である。
【図８】実施例１の生体情報測定装置における表示態様の設定手順を示すフローチャートである。
【図９】実施例２の生体情報測定装置における操作部の表示部及び入力部を示す図である。
【図１０】実施例２の生体情報測定装置における表示態様の決定手順を示すフローチャートである。
【図１１】実施例２の操作部の表示部における項目毎の表示時間を示す図である。
【図１２】実施例２の変形例の生体情報測定装置における操作部の表示部及び入力部を示す図である。
【図１３】実施例２の変形例の生体情報測定装置２における表示態様の決定手順を示すフローチャートである。
【図１４】実施例３の生体情報測定装置における操作部の表示部及び入力部を示す図である。
【図１５】実施例３の生体情報測定装置における表示態様の決定手順を示すフローチャートである。
【図１６】実施例４の生体情報測定装置における操作部の表示部及び入力部を示す図である。
【図１７】実施例４の生体情報測定装置における表示態様の決定手順を示すフローチャートである。
【符号の説明】
【０１０４】
２      生体情報測定装置
４      操作部
６      測定部
８      ケーブル
１０      制御部
１２      メモリ
１４      電源
１６      入力部
１８      表示部
２０      センサ
２２      演算部
２４      インターフェース
２６      切替ボタン
２８      決定ボタン
３０      表示順序変更モードボタン
３２      項目Ａボタン
３４      項目Ｂボタン
３６      項目Ｃボタン
３８      リセットボタン
４０      テンキー
４２      設定ボタン
【図１】
2007244760.tif 000003
【図２】
2007244760.tif 000004
【図３】
2007244760.tif 000005
【図４】
2007244760.tif 000006
【図５】
2007244760.tif 000007
【図６】
2007244760.tif 000008
【図７】
2007244760.tif 000009
【図８】
2007244760.tif 000010
【図９】
2007244760.tif 000011
【図１０】
2007244760.tif 000012
【図１１】
2007244760.tif 000013
【図１２】
2007244760.tif 000014
【図１３】
2007244760.tif 000015
【図１４】
2007244760.tif 000016
【図１５】
2007244760.tif 000017
【図１６】
2007244760.tif 000018
【図１７】
2007244760.tif 000019